(57)【要約】【課題】装置の縦状態及び横状態に関わらず、ユーザが表示させたい方向に装置の画面を表示させる。【解決手段】顔認証による画面切替装置に、顔を撮影するカメラ１０３と、カメラで撮影した画像表示、受信したテレビジョン映像及びテレビジョン電話映像を含む表示を行い、長方形をなし、横辺又は縦辺の一方を表示方向の基準と定める軸とする表示部１０７と、カメラで撮影され表示部に表示される顔の認証を行う顔認証部１１０と、顔認証部により認証された顔が表示される表示部の軸が向く方向に基づき定めた画面に切り替え、切り替えた画面にテレビジョン映像及びテレビジョン電話映像を含む表示を行う表示制御部１１１とを備える。【選択図】図１
2009171259.tif 000002
【特許請求の範囲】
【請求項１】
顔認証による画面切替装置において、
顔を撮影するカメラと、
前記カメラで撮影した画像表示、受信したテレビジョン映像及びテレビジョン電話映像を含む表示を行い、長方形をなし、横辺又は縦辺の一方を表示方向の基準と定める軸とする表示部と、
前記カメラで撮影され前記表示部に表示される顔の認証を行う顔認証部と、
前記顔認証部により認証された顔が表示される前記表示部の軸が向く方向に基づき定めた画面に切り替え、切り替えた画面にテレビジョン映像及びテレビジョン電話映像を含む表示を行う表示制御部とを備えることを特徴とする、顔認証による画面切替装置。
【請求項２】
前記表示部は横辺又は縦辺の一方を表示方向の基準と定める軸として画素を駆動するｘ電極又はｙ電極の方向の一方を表示方向の基準として定める軸とすることを特徴とする、顔認証による画面切替装置。
【請求項３】
前記表示制御部は、前記顔認証部により認証された顔に対して前記表示部の軸が下から上に向く場合には縦画面にカメラで撮影された顔の正面が表示されたと定め、前記表示部の軸が左から右に向く場合には横画面にカメラで撮影された顔の正面が表示されたと定め、前記表示部の軸が上から下に向く場合には逆縦画面にカメラで撮影された顔の正面が表示されたと定め、前記表示部の軸が右から左に向く場合には逆横画面にカメラで撮影された顔の正面が表示されたと定めることを特徴とする、請求項１に記載の顔認証による画面切替装置。
【請求項４】
前記顔認証部は、顔の認証に代わり、顔の眼球の認証により、前記表示部の画面の切り替えを行うことを特徴とする、請求項１に記載の顔認証による画面切替装置。
【請求項５】
顔認証による画面切替方法において、
顔を撮影する工程と、
撮影された顔の画像を長方形の表示部に表示する工程と、
前記表示部の横辺又は縦辺の一方を表示方向の基準とする軸と定める工程と、
前記表示部に表示される顔の認証を行う工程と、
前記顔認証部により認証された顔が表示される前記表示部の軸が向く方向に基づき定めた画面に切り替える工程と、
切り替えた画面にテレビジョン映像及びテレビジョン電話映像を含む表示を行う工程とを備えることを特徴とする、顔認証による画面切替方法。
【請求項６】
顔認証による画面切替プログラムにおいて、
顔を撮影する手順と、
撮影された顔の画像を長方形の表示部に表示する手順と、
前記表示部の横辺又は縦辺の一方を表示方向の基準とする軸と定める手順と、
前記表示部に表示される顔の認証を行う手順と、
前記顔認証部により認証された顔が表示される前記表示部の軸が向く方向に基づき定めた画面に切り替える手順と、
切り替えた画面にテレビジョン映像及びテレビジョン電話映像を含む表示を行う手順とを備えることを特徴とする、顔認証による画面切替プログラム。
【請求項７】
画面切替を行う携帯電話機において、
顔を撮影するカメラと、
前記カメラで撮影した画像表示、受信したテレビジョン映像及びテレビジョン電話映像を含む表示を行い、長方形をなし、横辺又は縦辺の一方を表示方向の基準と定める軸とする表示部と、
前記カメラで撮影され前記表示部に表示される顔の認証を行う顔認証部と、
前記顔認証部により認証された顔が表示される前記表示部の軸が向く方向に基づき定めた画面に切り替え、切り替えた画面にテレビジョン映像及びテレビジョン電話映像を含む表示を行う表示制御部とを備えることを特徴とする携帯電話機。
【発明の詳細な説明】
【技術分野】
【０００１】
本発明は携帯電話機等の画面切替装置に関する。特に、本発明は、ユーザが表示させたい方向に表示画面を表示させる、顔認証による画面切替装置、方法、プログラム及び携帯電話機に関する。
【背景技術】
【０００２】
近年、携帯電話機等の機器では、例えば、ワンセグ放送を表示する際、縦画面では画像＋データ放送、横画面では画像のみといった画面の切り替えが行われるようになっている。
このような画面表示装置において、縦画面と横画面を切り替える方法としては、ユーザの操作により手動で切り替える方法と、ｉＰｈｏｎｅに見られるような、装置の傾きをセンサーで検出し、自動的に切り替わる方法が存在する。
【０００３】
ユーザが手動で設定する方法が利便性の観点から望ましくないのは言うまでもない。
本発明の前提となる、縦画面と横画面を自動的に切り替える機能を持つ装置は加速度センサー等により装置自体の傾きを検出し、装置が縦状態であれば縦画面、横状態にあれば横画面を表示し、装置の向きに合わせて画面の向きを切り替えていた。
しかしながら、この装置では、例えば、ユーザが装置を縦状態に保ったままユーザが横たわった場合、装置が縦状態から横状態になりユーザは装置の横状態に保ち縦画面を表示し続けたいにも関わらず、装置が傾きを検出して横画面に切り替わってしまうという問題が発生する。
【０００４】
逆に、ユーザが横たわった状態で装置を縦状態に保ったまま横画面を表示させたい場合に縦画面が表示されてしまい、装置の状態に依存するため、必ずしもユーザが表示させたい方向に表示させることができないという問題も起こり得る。
このため、装置の縦状態及び横状態に関わらず、ユーザが表示させたい方向に装置の画面を表示させたいという課題がある。
【０００５】
このように、画面表示装置に対し縦画面と横画面の切り替えに関して以下の従来技術がある。
従来、必要なスペースを縮小して利便性を向上させた電子内視鏡装置や、その他の撮像機器、表示装置を備える電子機器における画面表示の制御方法を提供するため、モニタ画面を含むモニタをプロセッサに一体化させ、さらにプロセッサ設置時の支持面として、プロセッサ底面と側面とを選択可能とし、そして、プロセッサに対する被写体像やキャラクタ情報の表示の方向を、底面設置時と側面設置時とで自動的に切替え、さらに、キャラクタ情報については、表示方向のみならず、モニタ画面上の表示位置を制御することにより、キャラクタ情報と被写体像との位置関係や、キャラクタ情報同士の位置関係を、底面設置時と側面設置時とで維持し、こうして、オペレータにとって、底面設置時と側面設置時とで実質上同一の被写体像、キャラクタ情報が表示されるものがある（例えば、特許文献１参照）。
【０００６】
しかしながら、上記特許文献１では、底面設置時と側面設置時とで自動的に切替えるが、前述のように、装置の縦状態及び横状態に関わらず、ユーザが表示させたい方向に装置の画面を表示させるものではない。
従来、表示部を見ながらの撮影でも、三次元キャラクター画像である３Ｄアバターや自分の画像の正面からの画像を得ることができ、さらに、自分撮りに使い勝手の良い、カメラ付き携帯画像表示装置・通信装置及び撮影方法を得るために、表示部及びカメラの位置・角度や、カメラで撮影された人物画像を基に方向のずれを検出し、３Ｄアバターや人物の画像やデータを、正面を向いた画像やデータに補正処理・作成し、表示・保存及び送信を行うようにし、また、撮影時や被写体・テキスト・画像を表示する際、画像やテキスト等の同時表示時の画像処理や自動操作処理を行う様に制御することで、使い勝手の良いカメラ付き携帯画像表示装置・通信装置及び撮影方法を実現することが出来るものもある（例えば、特許文献２参照）。
【０００７】
しかしながら、上記特許文献２では、表示部及びカメラの位置・角度や、カメラで撮影された人物画像を基に方向のずれを検出するが、前述のように、装置の縦状態及び横状態に関わらず、ユーザが表示させたい方向に装置の画面を表示させるものではない。
従来、利用者が画像表示装置を携帯している場合、画像表示装置の方向によって表示している画像を切り換えるため、表示画像を表示する画像表示システムであって、表示画像を保持する画像保持部と、利用者に携帯され、表示画像を表示する表示部と、表示部と一体に携帯され、外部を撮像画像として撮像する撮像部と、撮像部が異なるタイミングで撮像した複数の撮像画像を解析して表示部が動いた移動量を算出する移動量算出部と、撮像画像とは異なる表示画像を、移動量算出部が算出した移動量に基づいて変更し、表示部に表示させる表示制御部とを備えるものもある（例えば、特許文献３参照）。
【０００８】
しかしながら、上記特許文献３では、画像表示装置の方向によって表示している画像を切り換えるが、前述のように、装置の縦状態及び横状態に関わらず、ユーザが表示させたい方向に装置の画面を表示させるものではない。
従来、携帯端末によるＴＶ画像表示の縦表示及び横表示は、ＴＶ機能起動時に決定され、縦表示又は横表示への切り替えは、ユーザ操作により切り替える必要があり、表示切替操作が煩わしく、また、表示中に自動的に切り替えができないため、制御部は、ＴＶチューナを所望チャンネルのＴＶ放送信号を選局受信させ、そのＴＶ画像を表示部に表示させている状態において、回転センサ部より端末の筐体の回転角度を取得し、その回転角度に応じて、表示処理部に対して画像の表示サイズ及び正方向で表示を行う為の表示方向を設定し、これにより、筐体と一体的に回転する表示部の回転角度に最適な表示方向及び表示サイズの切り替えを自動的に行うことができると共に、ユーザ操作による表示方向切り替えの煩わしさを低減できるものもある（例えば、特許文献４参照）。
【０００９】
しかしながら、上記特許文献４では、携帯端末によるＴＶ画像表示の縦表示及び横表示への切り替え操作の煩わしさを問題としているが、前述のように、装置の縦状態及び横状態に関わらず、ユーザが表示させたい方向に装置の画面を表示させるものではない。
従来、撮像した多数の画像を、違和感のない構図に自動的にレイアウトして、出力するため、画像に含まれるオブジェクトの画像における向きを特定するオブジェクト向き特定部と、オブジェクト向き特定部が特定したオブジェクトの向きに基づいて、画像を出力領域内にレイアウトする画像レイアウト部と、画像レイアウト部によって出力領域内にレイアウトされた画像を出力する画像出力部とを備える画像出力装置を提供するものもある（例えば、特許文献５参照）。
【００１０】
しかしながら、上記特許文献５では、撮像した多数の画像を、違和感のない構図に自動的にレイアウトして、出力するが、前述のように、装置の縦状態及び横状態に関わらず、ユーザが表示させたい方向に装置の画面を表示させるものではない。
従来、他人を撮影する状況および自分を撮影する状況の両状況において、顔認証画像の撮影をより適切に行うことが可能な撮像装置を提供するため、デジタルカメラの液晶表示部は、本体部に対して可動であり、その表示画面の向きを変更することが可能であり、デジタルカメラは、顔認証用画像撮影用の撮影モードが設定されている場合には、表示画面の向きに関する検知結果に応じて顔認証画像撮影用の補助指標を決定して表示画面に表示させるものもある（例えば、特許文献６参照）。
【００１１】
しかしながら、上記特許文献６では、顔認証画像の撮影を行うが、前述のように、装置の縦状態及び横状態に関わらず、ユーザが表示させたい方向に装置の画面を表示させるものではない。
【００１２】
【特許文献１】特開２００５−０７３７２１号公報
【特許文献２】特開２００５−０９２６５７号公報
【特許文献３】特開２００５−１２２１００号公報
【特許文献４】特開２００６−０５３４２７号公報
【特許文献５】特開２００６−２８７９１７号公報
【特許文献６】特開２００７−０１３７６８号公報
【発明の開示】
【発明が解決しようとする課題】
【００１３】
したがって、本発明は上記問題点に鑑みて、装置の縦状態及び横状態に関わらず、ユーザが表示させたい方向に装置の画面を表示させる顔認証による画面切替装置、方法、プログラム及び携帯電話機を提供することを目的とする。
【課題を解決するための手段】
【００１４】
本発明は前記問題点を解決するために、顔認証による画面切替装置において、顔を撮影するカメラと、前記カメラで撮影した画像表示、受信したテレビジョン映像及びテレビジョン電話映像を含む表示を行い、長方形をなし、横辺又は縦辺の一方を表示方向の基準と定める軸とする表示部と、前記カメラで撮影され前記表示部に表示される顔の認証を行う顔認証部と、前記顔認証部により認証された顔が表示される前記表示部の軸が向く方向に基づき定めた画面に切り替え、切り替えた画面にテレビジョン映像及びテレビジョン電話映像を含む表示を行う表示制御部とを備えることを特徴とする、顔認証による画面切替装置を提供する。
【００１５】
さらに、前記表示部は横辺又は縦辺の一方を表示方向の基準と定める軸として画素を駆動するｘ電極又はｙ電極の方向の一方を表示方向の基準として定める軸とする。
さらに、前記表示制御部は、前記顔認証部により認証された顔に対して前記表示部の軸が下から上に向く場合には縦画面にカメラで撮影された顔の正面が表示されたと定め、前記表示部の軸が左から右に向く場合には横画面にカメラで撮影された顔の正面が表示されたと定め、前記表示部の軸が上から下に向く場合には逆縦画面にカメラで撮影された顔の正面が表示されたと定め、前記表示部の軸が右から左に向く場合には逆横画面にカメラで撮影された顔の正面が表示されたと定める。
【００１６】
さらに、前記顔認証部は、顔の認証に代わり、顔の眼球の認証により、前記表示部の画面の切り替えを行う。
さらに、本発明は、顔認証による画面切替方法において、顔を撮影する工程と、撮影された顔の画像を長方形の表示部に表示する工程と、前記表示部の横辺又は縦辺の一方を表示方向の基準とする軸と定める工程と、前記表示部に表示される顔の認証を行う工程と、前記顔認証部により認証された顔が表示される前記表示部の軸が向く方向に基づき定めた画面に切り替える工程と、切り替えた画面にテレビジョン映像及びテレビジョン電話映像を含む表示を行う工程とを備えることを特徴とする、顔認証による画面切替方法を提供する。
【００１７】
さらに、本発明は、顔認証による画面切替プログラムにおいて、顔を撮影する手順と、撮影された顔の画像を長方形の表示部に表示する手順と、前記表示部の横辺又は縦辺の一方を表示方向の基準とする軸と定める手順と、前記表示部に表示される顔の認証を行う手順と、前記顔認証部により認証された顔が表示される前記表示部の軸が向く方向に基づき定めた画面に切り替える手順と、切り替えた画面にテレビジョン映像及びテレビジョン電話映像を含む表示を行う手順とを備えることを特徴とする、顔認証による画面切替プログラムを提供する。
【００１８】
さらに、本発明は、画面切替を行う携帯電話機において、顔を撮影するカメラと、前記カメラで撮影した画像表示、受信したテレビジョン映像及びテレビジョン電話映像を含む表示を行い、長方形をなし、横辺又は縦辺の一方を表示方向の基準と定める軸とする表示部と、前記カメラで撮影され前記表示部に表示される顔の認証を行う顔認証部と、前記顔認証部により認証された顔が表示される前記表示部の軸が向く方向に基づき定めた画面に切り替え、切り替えた画面にテレビジョン映像及びテレビジョン電話映像を含む表示を行う表示制御部とを備えることを特徴とする携帯電話機を提供する。
【発明の効果】
【００１９】
以上説明したように、本発明によれば、顔を撮影し、撮影された顔の画像を長方形の表示部に表示し、表示部の横辺又は縦辺の一方を表示方向の基準とする軸と定め、表示部に表示される顔の認証を行い、顔認証部により認証された顔が表示される表示部の軸が向く方向に基づき定めた画面に切り替え、切り替えた画面にテレビジョン映像及びテレビジョン電話映像を含む表示を行うようにしたので、表示部とユーザの顔の相対位置を検出することにより、表示部が設けられている携帯電話機の状態によらず、画面切替が可能になり、適切な画面表示を行うことで、ユーザの利便性が向上することが期待される。
【発明を実施するための最良の形態】
【００２０】
以下、本発明の実施の形態について図面を参照して説明する。
図１は本発明に係る携帯電話機の概略構成を示すブロック図である。本図に示すように、例えば、携帯電話機１００にはスピーカ１０１が設けられ、スピーカ１０１は携帯電話機１００の受話音、着信音、テレビジョンの音声等を出力する。
さらに、携帯電話機１００にはマイクロフォン１０２が設けられ、マイクロフォン１０２は携帯電話機１００からの送話音等を出力する。
【００２１】
さらに、携帯電話機１００にはカメラ１０３が設けられ、カメラ１０３は景色を撮影するアウトカメラの機能、テレビジョン電話時、顔認証時のようにユーザの顔を撮影するインカメラの機能を有する。
さらに、携帯電話機１００には送受信部１０４が設けられ、送受信部１０４は図示しない基地局と送受信を行う。
【００２２】
さらに、携帯電話機１００にはテレビジョン受信部１０５が設けられ、テレビジョン受信部１０５はワンセグ放送によるデジタルテレビジョン放送を受信し、又は、アナログテレビジョン放送を受信する機能を有する。
さらに、携帯電話機１００にはキー操作部１０６が設けられ、キー操作部１０６は携帯電話機１００を操作するための入力操作を行う。
さらに、携帯電話機１００には表示部１０７が設けられ、表示部１０７は、ＬＣＤ（液晶表示部）パネルで構成され、長方形の画面を有し、メニュー表示、機能表示、入力・出力情報表示、カメラ撮影画像表示、テレビジョン受信映像表示等を行い、横辺又は縦辺の一方を表示方向を定める軸とする。
【００２３】
さらに、携帯電話機１００には制御部１０８が設けられ、制御部１０８はＣＰＵ（中央演算処理装置）、メモリ等で構成され、携帯電話機１００全体の制御を行い、特に、スピーカ１０１、マイクロフォン１０２、カメラ１０３、送受信部１０４、テレビジョン受信部１０５、キー操作部１０６、表示部１０７の制御を行い、さらに、画面切替部１０８Ａを有し、画面切替部１０８Ａは顔認証により適切に表示部１０７に対して縦画面と横画面を切り替える動作をプログラムで実行する。
【００２４】
図２は図１における表示部１０７の画面の方向を説明する図である。本図に示すように、表示部１０７の傍にはカメラ１０３が設けられ、長方形の画面を有する表示部１０７のｘ軸、ｙ軸には画素を駆動するｘ１、ｘ２、…、ｘｍ電極（ｍ：整数）、ｙ１、ｙ２、…、ｙｎ電極（ｎ：整数）が設けられている。表示部１０７のｙ軸の方向は後述のように表示部１０７の画面の向きの判断に使用される。
【００２５】
図３は制御部１０８の画面切替部１０８Ａの概略構成を説明するブロック図である。本図に示すように、画面切替部１０８Ａには顔認証部１１０及び表示制御部１１１が設けられ、顔認証部１１０はソフトウエアで構成され、カメラ１０３で撮影され、表示部１０７に表示された顔の認証を行う。顔認証技術自体は周知技術であるので、説明を省略する。
表示制御部１１１は顔認証部１１０により認証された顔の正面画像が表示された表示部１０７のｙ軸又はｘ軸を表示方向の基準と定め表示部１０７の画面の向きを判断し、カメラ１０３で撮影された顔が表示される表示部１０７の画面の向きと同じ画面にテレビジョン受信部１０５で受信した映像、送受信部１０４で受信したテレビジョン電話の映像を表示する制御を行う。
【００２６】
図４は図３の画面切替部１０８Ａの表示制御部１１１により顔の正面画像が表示された表示部１０７の画面の向きを判断する例を示す図である。本図（ａ）に示すように、顔認証部１１０により認証された顔の正面画像に対して表示部１０７のｙ軸が下から上に向く場合には縦画面にカメラで撮影された顔の正面が表示されたと定める。
本図（ｂ）に示すように、顔認証部１１０により認証された顔の正面画像に対して表示部１０７のｙ軸が左から右に向く場合には横画面にカメラで撮影された顔の正面が表示されたと定める。
【００２７】
本図（ｃ）に示すように、顔認証部１１０により認証された顔の正面画像に対して表示部１０７のｙ軸が上から下に向く場合には逆縦画面にカメラで撮影された顔の正面が表示されたと定める。
本図（ｄ）に示すように、顔認証部１１０により認証された顔の正面画像に対して表示部１０７のｙ軸が上から右から左に場合には逆横画面にカメラで撮影された顔の正面が表示されたと定める。
【００２８】
このようにして、表示部１０７とユーザの顔の相対位置を検出することが可能になる。
なお、以上の説明では、ｙ軸を基準して説明したが、ｘ軸を基準にしても同様の作用効果を得ることが可能である。
図５は図３における画面切替部１０８Ａにより画面切替を行う動作例を説明するフローチャートである。ステップＳ２０１において、顔認証部１１０によりカメラ１０３で撮像され、表示部１０７に表示された顔の認証を行う。
【００２９】
ステップＳ２０２において、表示制御部１１１では認証された顔の画像正面が縦画面に表示されたか否かを判断し、縦画面に表示されていない場合にはステップＳ２０４に進む。
ステップＳ２０３において、表示制御部１１１では縦画面に表示されている場合には、テレビジョン映像、テレビジョン電話映像等を表示する表示部１０７の画面を縦画面に切り替えて、処理を終了する。
【００３０】
ステップＳ２０４において、表示制御部１１１では認証された顔の画像正面が横画面に表示されたか否かを判断し、横画面に表示されていない場合にはステップＳ２０６に進む。
ステップＳ２０５において、表示制御部１１１では横画面に表示されている場合には、テレビジョン映像、テレビジョン電話映像等を表示する表示部１０７の画面を横画面に切り替えて、処理を終了する。
【００３１】
ステップＳ２０６において、表示制御部１１１では認証された顔の画像正面が逆縦画面に表示されたか否かを判断し、逆縦画面に表示されていない場合にはステップＳ２０７に進む。
ステップＳ２０７において、表示制御部１１１では逆縦画面に表示されている場合には、テレビジョン映像、テレビジョン電話映像等を表示する表示部１０７の画面を逆縦画面に切り替えて、処理を終了する。
【００３２】
ステップＳ２０８において、表示制御部１１１では認証された顔の画像正面が逆横画面に表示されたか否かを判断し、逆横画面に表示されていない場合には処理を終了する。
ステップＳ２０９において、表示制御部１１１では逆横画面に表示されている場合には、テレビジョン映像、テレビジョン電話映像等を表示する表示部１０７の画面を逆横画面に切り替えて、処理を終了する。
【００３３】
したがって、本発明によれば、表示部１０７とユーザの顔の相対位置を検出することにより、表示部１０７が設けられている携帯電話機１００の状態によらず、画面切替が可能になり、適切な画面表示を行うことで、ユーザの利便性が向上することが期待される。
【実施例１】
【００３４】
以上、説明した、個人を特定する一般的な顔認証技術に代わり、顔の眼球の認証により、表示部１０７の画面のｙ軸とユーザの顔の眼球位置関係を特定し、表示部１０７の画面の切替を判断するようにしてもよい。
【産業上の利用可能性】
【００３５】
以上の説明は携帯電話機について行ったが、これに限らず、ＰＨＳ（簡易型携帯電話機）、ＰＤＡ（携帯端末装置）のみならず、画面の縦横を切り替えることができる任意の機器にも本発明の利用が可能である。さらに、カメラに限らず、顔認証に用いることができる任意の機器に本発明の利用が可能である。
【図面の簡単な説明】
【００３６】
【図１】本発明に係る携帯電話機の概略構成を示すブロック図である。
【図２】図１における表示部１０７の画面の方向を説明する図である。
【図３】制御部１０８の画面切替部１０８Ａの概略構成を説明するブロック図である。
【図４】図３の画面切替部１０８Ａの表示制御部１１１により顔の正面画像が表示された表示部１０７の画面の向きを判断する例を示す図である。
【図５】図３における画面切替部１０８Ａにより画面切替を行う動作例を説明するフローチャートである。
【符号の説明】
【００３７】
１００…携帯電話機
１０１…スピーカ
１０２…マイクロフォン
１０３…カメラ
１０４…送受信部
１０５…テレビジョン受信部
１０６…キー操作部
１０７…表示部
１０８…制御部
１０８Ａ…画面切替部
１１０…顔認証部
１１１…表示制御部
【図１】
2009171259.tif 000003
【図２】
2009171259.tif 000004
【図３】
2009171259.tif 000005
【図４】
2009171259.tif 000006
【図５】
2009171259.tif 000007